(57)【要約】【課題】ユーザーが所望により、ストッパを用いて押下釦等の操作部材の操作を禁止できるようにするとともに、そのストッパを紛失するおそれをなくす一方、エアゾール式のものにも適用可能とする。【解決手段】容器１０の口部１１に取り付けるときに用いる、ねじキャップ２１やマウンテンカップ等の容器取付部材と、その容器取付部材に対し、長さ方向にスライドして出入り自在に設けるステム２２と、そのステムより外形が大きく該ステムの先端に設ける、押下釦２３等の頭部と、その頭部と容器取付部材間でステムに取り付けてそのステムの押し込みを阻止する第１位置と、頭部に取り付けてステムの押し込みを可能とする第２位置とに選択的に取り付け可能とするストッパ３０とを、噴射装置２０に備える。【選択図】      図２
2006143222.tif 000002
【特許請求の範囲】
【請求項１】
容器に取り付けるときに用いる容器取付部材と、
その容器取付部材に対し出入り自在に設けるステムと、
そのステムより外形が大きく該ステムの先端に設ける頭部と、
その頭部と前記容器取付部材間で前記ステムに取り付けてそのステムの押し込みを阻止する第１位置と、前記頭部に取り付けて前記ステムの押し込みを可能とする第２位置とに選択的に取り付け可能とするストッパと、
を備えることを特徴とする、噴射装置。
【請求項２】
前記ストッパを、先端部間に間隙を設けて開閉自在に対向する一対のアーム状の弾性片と、それら弾性片の基端部を連結する位置に設けるつまみとで構成することを特徴とする、請求項１に記載の噴射装置。
【請求項３】
前記ストッパを前記第２位置に取り付けたときそのストッパの動きを規制する鍔部を前記頭部に形成することを特徴とする、請求項１または２に記載の噴射装置。
【請求項４】
請求項１ないし３のいずれか１に記載の噴射装置を備えることを特徴とする、噴出器。
【発明の詳細な説明】
【技術分野】
【０００１】
この発明は、容器の口部に取り付け、押下釦やトリガーレバーなどの操作部材を操作したとき、容器の内容物を外部に噴射する、ポンプ式やエアゾール式の噴射装置に関する。および、そのような噴射装置を容器の口部に取り付けた、化粧用等の噴出器に関する。
【背景技術】
【０００２】
噴出器は、例えば図８や図９に示すように、容器１にねじキャップ２をねじ付けて噴射装置３を取り付ける。そして、噴射装置３の押下釦４を押し下げることにより、ステム５（図９では押下釦４で隠れて見えない）を押し込んで容器１の内容物を押下釦４の噴出口６から外部へと噴射する構成となっている。図８に示す噴出器は、くちばし状の噴出部７の先端に噴出口６を設け、図９に示す噴出器では、若干突出する噴出部８の先端に噴出口６を設けている。
【０００３】
ポンプ式の噴出器では、ステム５を往復動することにより、容器１の内容物をポンプ式噴射装置３で汲み上げて容器１の外部へと噴射する。エアゾール式の噴出器では、ステム５を押し込むことにより、出口弁を開いて容器１内に内容物とともに収容する噴射剤の圧力により、内容物を容器１の外部へと噴射する。
【０００４】
このため、不用意やいたずらで誤って押下釦４を押し下げたときにも、内容物を噴射することとなるから、出荷前や店頭展示時には、まわりや他の商品を汚したり、容器１内の内容物を減少して商品価値を低減したりする問題があった。また、携行時には、バック内を汚したり、容器１内の内容物を無駄に消費したりする問題があった。
【０００５】
そこで、従来の噴出器の中には、
１）  押下釦の一部をのばしてねじキャップに突き当て、出荷前や店頭展示時における押下釦の押し下げを阻止するとともに、使用時にはその一部を切除することにより押下釦の押し下げを可能とするもの、
２）  押下釦とねじキャップ間でステムにストッパを取り付けてそのストッパに押下釦を押し当ててステムの押し込みを阻止するもの、
３）  押下釦を最下点まで押し下げてねじキャップにねじ付け、使用時にはそのねじ付けを解除することにより押下釦の押し下げを可能とするもの、
などがあった。
【０００６】
【特許文献１】実開昭５３−１５６９１３号
【特許文献２】実用新案登録第２５８９４５２号公報
【発明の開示】
【発明が解決しようとする課題】
【０００７】
ところが、上述したような従来の噴出器にあって、例えば、１）のように使用時に押下釦の一部を切除するものでは、切除後は押下釦の押し下げを禁止することができない問題があった。また、２）のようにステムにストッパを取り付けるものでは、使用時には取り外したストッパの保管場所がなく、ストッパを紛失してしまい、外に持って出ることができなくなるなどの問題があった。さらに、３）のように押下釦をねじキャップにねじ付けるものでは、押下釦の押し下げを禁止するとき、不必要に内容物を噴射する問題があり、またステムを押し込んだ状態で維持することから、エアゾール式のものには適用できない問題もあった。
【０００８】
そこで、この発明の目的は、ユーザーが所望により、ストッパを用いて押下釦等の操作部材の操作を禁止できるようにするとともに、そのストッパを紛失するおそれをなくす一方、エアゾール式のものにも適用可能とすることにある。
【課題を解決するための手段】
【０００９】
そのため、請求項１に記載の発明は、
容器の口部に取り付けるときに用いる、ねじキャップやマウンテンカップ等の容器取付部材と、
その容器取付部材に対し、長さ方向にスライドして出入り自在に設けるステムと、
そのステムより外形が大きく該ステムの先端に別体または一体で設ける、押下釦等の頭部と、
その頭部と前記容器取付部材間で前記ステムに取り付けてそのステムの押し込みを阻止する第１位置と、前記頭部に取り付けて前記ステムの押し込みを可能とする第２位置とに選択的に取り付け可能とするストッパと
を備えることを特徴とする、ポンプ式やエアゾール式の噴射装置である。
【００１０】
そして、ステムの押し込みを禁止するときは、第１位置にストッパを取り付け、押下釦やトリガーレバーなどの操作部材を操作したとき、操作部材をストッパに当ててステムの押し込みを阻止する。ユーザーが使用するときは、第１位置にあるストッパを第２位置に付け替え、押下釦やトリガーレバーなどの操作部材を操作することにより、ステムを押し込み自在とする。
【００１１】
なお、ステムの先端に設ける頭部は、そのステムに取り付ける別体の押下釦などに限らず、そのステム自体の一部をその下の首部となる部分の外形より大きく形成したものであってもよい。
【００１２】
請求項２に記載の発明は、請求項１に記載の噴射装置において、ストッパを、先端部間に間隙を設けて開閉自在に対向する一対のアーム状の弾性片と、それら弾性片の基端部を連結する位置に設けるつまみとで構成する、ことを特徴とする。
【００１３】
そして、第１位置と第２位置との間でストッパを付け替えるとき、つまみを持って引っ張り、一対の弾性片を押し開いてストッパをステムまたは頭部の一方から取り外し、ステムまたは頭部の他方に先端部を押し付けて押し込むことにより一対の弾性片を押し開いてストッパをそのステムまたは頭部の他方に取り付ける。
【００１４】
請求項３に記載の発明は、請求項１または２に記載の噴射装置において、前記ストッパを前記第２位置に取り付けたときそのストッパの動きを規制する鍔部を前記頭部に形成する、ことを特徴とする。
【００１５】
請求項４に記載の発明は、請求項１ないし３のいずれか１に記載の噴射装置を備えることを特徴とする、噴出器である。
【発明の効果】
【００１６】
請求項１ないし３に記載の発明によれば、ユーザーが使用するときは、第１位置にあるストッパを取り外して第２位置に取り付け、ステムの押し込みを自在とするので、ストッパを第２位置に保持してストッパを紛失するおそれをなくすとともに、ステムを押し込んだ状態を保持するものでもないから、エアゾール式のものにも適用することができる。しかも、使用しないときには、再び第１位置にストッパを取り付けてステムの押し込みを禁止することができるので、携行中等にステムを不用意に押し込んだり、子供がいたずらしている間に誤ってステムを押し込んだりするおそれをなくすことができる。出荷前や店頭展示時にも、同様に操作部材の操作を禁止してバージンシール機能を持たせることができる。
【００１７】
請求項２に記載の発明によれば、加えて、第１位置と第２位置との間でストッパを付け替えるとき、つまみを持って引っ張ったり押し込んだりするだけでよく、ストッパの付け替えを容易とすることができる。
【００１８】
請求項３に記載の発明によれば、加えて、ストッパを第２位置に取り付けたときそのストッパの動きを頭部に形成した鍔部で規制するので、ストッパが外れにくくしてストッパを紛失するおそれをより一層少なくすることができる。また、鍔部を、ストッパの取り付け取り外しのガイドとすることもできる。
【００１９】
請求項４に記載の発明によれば、噴出器にあって、請求項１ないし３のいずれか１に記載の噴出装置を備えるので、上述した効果を有する噴射装置を備えた噴出器を提供することができる。
【発明を実施するための最良の形態】
【００２０】
以下、図面を参照しつつ、この発明の実施の最良の形態につき説明する。
図１には、この発明による往復ポンプ式の噴出器の外観を示す。
【００２１】
図中符号１０は、容器である。容器１０は、プラスチック材料でボトル形状につくり、その口部１１外周に雄ネジを設け、図示省略するが、この例では、内部に、内容物として化粧液を収納する。
【００２２】
その容器１０の口部１１には、ポンプ式噴射装置２０を取り付ける。図２には、その噴射装置２０部分を拡大して示す。
【００２３】
ポンプ式噴射装置２０には、容器取付部材であるねじキャップ２１を設ける。ねじキャップ２１は、内周に雌ネジを有するとともに、頂部中央に中心孔をあけてなる。そして、容器１０の口部１１にポンプ式噴射装置２０を取り付けるとき、ねじキャップ２１を用い、口部１１に被せてねじ付けてなる。
【００２４】
図示省略するが、噴射装置２０には、ハウジング、そのハウジング内に挿入してシリンダ内にシリンダ室を形成するピストン、シリンダ室の入口に設ける入口弁、出口に設ける出口弁、シリンダ室に設けてピストンを復帰する復帰スプリングなどを備える。そして、ハウジングに上から被せてねじキャップ２１を取り付けるとともに、ピストンと一体にまたはピストンに連結してステム２２を設け、ねじキャップ２１の前述した頂部中心孔を貫通して上向きに突出し、先端に頭部として外形が大きな押下釦２３を取り付ける。そして、ステム２２は、容器取付部材であるねじキャップ２１に対し、長さ方向にスライドして出入り自在に設ける。
【００２５】
図示例では、ステム２２の頭部である押下釦２３の外周からのばしてくちばし状の噴出部２４を形成し、その先端に噴出口２５を設ける。図示しないが、ステム２２内および押下釦２３内には、噴出口２５に通ずる噴出通路を形成する。また、頂部まわりには、鍔部２６を形成する。
【００２６】
そして、出荷前や店頭展示時には、押下釦２３とねじキャップ２１間である第１位置において、押下釦２３下の首部であるステム２２にストッパ３０をはめ付ける。ストッパ３０は、図３に示すように、先端部３１間に間隙３２を設けて開閉自在に対向する一対のアーム状の弾性片３３と、それら弾性片３３の基端部を連結する位置に設けるつまみ３４とで構成する。
【００２７】
先端部３１は、ともに外向きに折り曲げて徐々にテーパ状に開くように設ける。一対の弾性片３３は、ステム２２の外形より若干小径の筒状に形成する。つまみ３４は、間隙３２の反対側に位置する一対の弾性片３３の基端部側から径方向外向きにのばし、先端に半円筒状の指掛け部を設けることにより形成してなる。そして、図４（Ａ）に示すように、両弾性片３３をステム２２の外周にはめ付けてステム２２にストッパ３０を取り付けている。
【００２８】
このようにすると、押下釦２３を押し下げたとき、その押下釦２３をストッパ３０に当ててステム２２の押し込みを阻止し、この噴出器にバージンシール機能を持たせることができる。
【００２９】
この噴出器を購入したユーザーが使用するときは、ストッパ３０のつまみ３４を持ち、指掛け部に指を掛けてつまみ３４を引っ張り、一対の弾性片３３を押し開いて図４（Ｂ）に示すようにストッパ３０をステム２２から取り外す。その後、図５（Ａ）から（Ｂ）に示すように、押下釦２３の外周面に先端部３１を押し付けて押し込むことにより一対の弾性片３３を押し開いてストッパ３０を押下釦２３の外周に取り付ける。すなわち、ストッパ３０を第１位置から、図６に示すようにステム２２より拡径の押下釦２３外周の第２位置に付け替え、押下釦２３を随時押し下げ自在としてステム２２の押し込みを可能とする。このとき、つまみ３４は、押下釦２３の押し下げ操作の邪魔にならない向きにすることが好ましい。
【００３０】
そして、噴出口２５を目的部位に向け、押下釦２３に手を掛けてそれを押し下げると、ステム２２を押し込んで不図示のピストンをハウジング内に入れ、シリンダ室の圧力を上昇して出口弁を開き、シリンダ室の内容物をステム２２内および押下釦２３内の噴出通路を通して噴出口２５から外部へと噴射する。
【００３１】
押下釦２３から手を離すと、復帰スプリングの付勢力でピストンを復帰してステム２２を押し戻し、押下釦２３を押し上げる。すると、シリンダ室が負圧化して出口弁を閉じるとともに入口弁を開き、容器１０の内容物をシリンダ室に吸い上げる。この繰り返しにより、容器１０の内容物をいったんシリンダ室に汲み上げ、噴出口２５から容器１０外へと噴射することができる。
【００３２】
以上のとおり、図示噴出器では、ユーザーが使用するときは、第１位置にあるストッパ３０を取り外して第２位置に取り付け、ステム２２の押し込みを自在とするので、ストッパ３０を第２位置に保持し、ストッパ３０を紛失するおそれがない。
【００３３】
ユーザーがこの噴出器を使用しないときは、所望により、ストッパ３０のつまみ３４を持ち、指掛け部に指を掛けてつまみ３４を引っ張り、一対の弾性片３３を押し開いてストッパ３０を押下釦２３から取り外す。その後、ステム２２の外周面に先端部３１を押し付けて押し込むことにより一対の弾性片３３を押し開いてストッパ３０をステム２２の外周に取り付ける。すなわち、ストッパ３０を、逆に第２位置から、図１および図２に示すようにステム２２外周の第１位置に付け替える。
【００３４】
このようにすると、押下釦２３を押し下げたとき、その押下釦２３をストッパ３０に当ててステム２２の押し込みを阻止し、携行中等にステム２２を不用意に押し込んだり、子供がいたずらしている間に誤ってステム２２を押し込んだりするおそれをなくすことができる。
【００３５】
なお、図７に示すように、頭部である押下釦２３には、上縁の鍔部２６とともに下縁にも鍔部２７を形成し、ストッパ３０を第２位置に取り付けたとき、そのストッパ３０の動きを規制するようにするとよい。このようにすると、ストッパ３０が上下方向に外れにくくしてストッパ３０を紛失するおそれをより一層少なくすることができる。また、鍔部２６・２７を、ストッパ３０の取り付け取り外しのガイドとすることもできる。
【００３６】
さて、上述した例では、押下釦２３に直接手を掛けてその押下釦２３を押し下げる場合について説明したが、トリガーレバーを用いてステムを押し込むようにした噴射装置や噴出器にも、もちろん同様に適用することができる。このとき、トリガーレバーが邪魔になって押下釦にストッパを取り付けにくいときは、ステム自体に外形を大きくした頭部を形成するようにし、その頭部にストッパをはめ付けるようにしてもよい。
【００３７】
また、上述した図示例では、ポンプ式噴出器に適用した場合について説明したが、ステムを押し込んだ状態を保持するものでもないから、押下釦やトリガーレバーなどの操作部材を操作したとき、ステムを押し込んで開弁し、容器の内容物を噴射剤の圧力で外部へと噴射するエアゾール式の噴射装置や噴出器にも同様に適用することができる。このとき、押下釦等の頭部とマウンテンカップ等の容器取付部材との間を第１位置とし、ステムの押し込みを禁止するときはその第１位置にストッパを取り付ける。
【図面の簡単な説明】
【００３８】
【図１】この発明による往復ポンプ式の噴出器の外観正面図である。
【図２】その噴射装置部分の拡大正面図である。
【図３】その噴出器で用いるストッパの斜視図である。
【図４】（Ａ）はそのストッパを第１位置に取り付けた状態を上から見て示す概略説明図、（Ｂ）はその状態から取り外した状態を上から見て示す概略説明図である。
【図５】（Ａ）はその第１位置から取り外したストッパを第２位置に取り付ける状態を上から見て示す説明図、（Ｂ）は取り付けた状態を上から見て示す説明図である。
【図６】ストッパを第２位置に取り付けた状態の噴射装置部分拡大正面図である。
【図７】他例の噴射装置部分の拡大正面図である。
【図８】従来例の噴射装置部分の拡大斜視図である。
【図９】別の従来例の噴射装置部分の拡大斜視図である。
【符号の説明】
【００３９】
１０    容器
１１    口部
２０    ポンプ式噴射装置
２１    ねじキャップ（容器取付部材）
２２    ステム
２３    押下釦（頭部）
２４    噴出部
２５    噴出口
２６    鍔部
２７    鍔部
３０    ストッパ
３１    先端部
３２    間隙
３３    弾性片
３４    つまみ
【図１】
2006143222.tif 000003
【図２】
2006143222.tif 000004
【図３】
2006143222.tif 000005
【図４】
2006143222.tif 000006
【図５】
2006143222.tif 000007
【図６】
2006143222.tif 000008
【図７】
2006143222.tif 000009
【図８】
2006143222.tif 000010
【図９】
2006143222.tif 000011